(57)【要約】【課題】停電時における汚物排出不能や封水不能などの不都合を解消できるものでありながら、操作性と安全性と外観性を共に向上させること。【解決手段】操作釦部８の一度目の押し込み操作によりスイッチ押圧部１４がモータ電源スイッチ４を押してオフにすると共にハンドル軸５のロックが解除され、操作釦部８の押し込み解除でハンドル軸５が復帰用バネ１５により突出位置Ｐ３に移動してハンドル軸５のギア部１０がトラップ軸９と噛合し且つ操作釦部８が開口部７よりも外方に突出して、外部から操作釦部８の回転操作により可動式トラップ２の手動回転操作が可能となり、操作釦部８の二度目の押し込み操作によりスイッチ押圧部１４がモータ電源スイッチ４を押してオンに復帰させると共にハンドル軸５がロックされて定位置Ｐ１で保持される構成。【選択図】図１
2008156954.tif 000002
【特許請求の範囲】
【請求項１】
便器本体の排水口部に接続された可動式トラップを上下に回転させることで便器本体内の汚物排出と便器本体内の溜め水とを行なうターントラップ方式の水洗便器であって、便器本体内部に停電時に可動式トラップを手動で回転させるためのハンドル軸が収納され、上記ハンドル軸には、便器本体の外部に開放された開口部に臨んで配置される操作釦部と、停電時にモータ軸から切り離される可動式トラップのトラップ軸と噛合・離脱可能なギア部と、ハンドル軸を定位置でロックするロック手段と、モータ電源スイッチのオン・オフを切り替えるスイッチ押圧部と、ハンドル軸を開口部側に向かってバネ付勢する復帰用バネとを備え、上記ハンドル軸は、定位置ではハンドル軸のギア部がトラップ軸と離脱した状態にあり、操作釦部の一度目の押し込み操作によりハンドル軸が定位置よりも後方の押し込み位置に移動してスイッチ押圧部がモータ電源スイッチを押してオフ状態に切り替えると共にハンドル軸のロックが解除された状態となり、操作釦部の押し込み解除によりハンドル軸が復帰用バネにより定位置よりも前方の突出位置に移動することにより、ハンドル軸のギア部がトラップ軸と噛合し、且つ、操作釦部が便器本体の開口部よりも外方に突出して、外部から操作釦部の回転操作により可動式トラップの手動回転操作が可能な状態となり、操作釦部の二度目の押し込み操作によりハンドル軸が押し込み位置に移動してスイッチ押圧部がモータ電源スイッチを押してオン状態に復帰させると共にハンドル軸がロックされて定位置で保持されるように構成されていることを特徴とするターントラップ方式の水洗便器。
【請求項２】
便器本体の排水口部に接続された可動式トラップを上下に回転させることで便器本体内の汚物排出と便器本体内の溜め水とを行なうターントラップ方式の水洗便器であって、便器本体内部に停電時に可動式トラップを手動で回転させるためのハンドル軸が収納され、上記ハンドル軸は、便器本体の外部に開放された開口部に臨んで配置される操作釦部と、停電時にモータ軸から切り離される可動式トラップのトラップ軸に取り付けたウォームホイールと噛合・離脱可能なウォームギアと、ハンドル軸を定位置でロックするロック手段と、モータ電源スイッチのオン・オフを切り替えるスイッチ押圧部と、ハンドル軸を開口部側に向かってバネ付勢する復帰用バネとを備え、上記ハンドル軸は、定位置ではハンドル軸のウォームギアがトラップ軸のウォームホイールと離脱した状態にあり、操作釦部の一度目の押し込み操作によりハンドル軸が定位置よりも後方の押し込み位置に移動してスイッチ押圧部がモータ電源スイッチを押してオフ状態に切り替えると共にハンドル軸のロックが解除された状態となり、操作釦部の押し込み解除によりハンドル軸が復帰用バネにより定位置よりも前方の突出位置に移動する過程で、ハンドル軸のウォームギアがトラップ軸のウォームホイールと噛合してウォームギアの移動がウォームホイールの回転運動に変換されることで、トラップ軸が回転して可動式トラップの回転動作が行なわれ、操作釦部の二度目の押し込み操作によりハンドル軸が押し込み位置に移動してスイッチ押圧部がモータ電源スイッチを押してオン状態に復帰させると共にハンドル軸がロックされて定位置で保持されるように構成されていることを特徴とするターントラップ方式の水洗便器。
【発明の詳細な説明】
【技術分野】
【０００１】
本発明は、ターントラップ方式の水洗便器に関し、詳しくは停電時に可動式トラップを手動で回転させるためのハンドル軸を備えた可動式トラップの技術に関するものである。
【背景技術】
【０００２】
従来から、可動式トラップをモータにより回転させて、可動式トラップを下に回転することで汚物の排出を行ない、可動式トラップを上に回転させることで便器本体内への溜め水を行なうようにしたターントラップ方式の水洗便器が知られている（例えば、特許文献１参照）。
【０００３】
上記特許文献１に示された従来例では、モータのモータ軸が電磁クラッチを介して可動式トラップのトラップ軸と接続されており、洗浄操作釦部を押してモータが駆動すると電磁クラッチを介してモータ軸の回転がトラップ軸に伝わり、トラップ軸に連結された駆動アームが可動式トラップを下に回転させることで便器本体内の汚物が排出される。その後、モータが停止して電磁クラッチが切り状態になるとトラップ軸はモータ軸から切り離されて空転状態となり、捻りバネ等の復帰手段によって可動式トラップは上に回転して便器本体内に溜め水されるようになっている。
【０００４】
この従来例では、停電時に水封が途切れた状態で可動式トラップがロックされた場合は、捻りバネ等の復帰手段によって可動式トラップを上に復帰させることができ、溜め水の確保や下水配管からの悪臭の逆流防止を図ることができるが、仮りに汚物の排出前に停電が発生して可動式トラップがロックされてしまうと、汚物の排出ができなくなるという課題を有している。
【特許文献１】特開平１０−６０９８７号公報
【発明の開示】
【発明が解決しようとする課題】
【０００５】
本発明は上記の従来の問題点に鑑みて発明したものであって、停電時における汚物排出不能や封水不能などの不都合を解消できるものでありながら、操作性と安全性と外観性を共に向上させることができるターントラップ方式の水洗便器を提供することを課題とするものである。
【課題を解決するための手段】
【０００６】
前記課題を解決するために請求項１に係る発明は、便器本体１の排水口部に接続された可動式トラップ２を上下に回転させることで便器本体１内の汚物排出と便器本体１内の溜め水とを行なうターントラップ方式の水洗便器であって、便器本体１内部に停電時に可動式トラップ２を手動で回転させるためのハンドル軸５が収納され、上記ハンドル軸５は、便器本体１の外部に開放された開口部７に臨んで配置される操作釦部８と、停電時にモータ軸３ａから切り離される可動式トラップ２のトラップ軸９と噛合・離脱可能なギア部１０と、ハンドル軸５を定位置Ｐ１でロックするロック手段１１と、モータ電源スイッチ４のオン・オフを切り替えるスイッチ押圧部１４と、ハンドル軸５を開口部７側に向かってバネ付勢する復帰用バネ１５とを備え、上記ハンドル軸５は、定位置Ｐ１ではハンドル軸５のギア部１０がトラップ軸９と離脱した状態にあり、操作釦部８の一度目の押し込み操作によりハンドル軸５が定位置Ｐ１よりも後方の押し込み位置Ｐ２に移動してスイッチ押圧部１４がモータ電源スイッチ４を押してオフ状態に切り替えると共にハンドル軸５のロックが解除された状態となり、操作釦部８の押し込み解除によりハンドル軸５が復帰用バネ１５により定位置Ｐ１よりも前方の突出位置Ｐ３に移動することにより、ハンドル軸５のギア部１０がトラップ軸９と噛合し、且つ、操作釦部８が便器本体１の開口部７よりも外方に突出して、外部から操作釦部８の回転操作により可動式トラップ２の手動回転操作が可能な状態となり、操作釦部８の二度目の押し込み操作によりハンドル軸５が押し込み位置Ｐ２に移動してスイッチ押圧部１４がモータ電源スイッチ４を押してオン状態に復帰させると共にハンドル軸５がロックされて定位置Ｐ１で保持されるように構成されていることを特徴としている。
【０００７】
このような構成とすることで、停電時には操作釦部８の一度目の押し込み操作、突出位置Ｐ３に移動した操作釦部８を手動により回転させる操作、操作釦部８の二度目の押し込み操作を順に行なうだけで、モータ電源のオフ動作と、可動式トラップ２の手動回転操作と、モータ電源のオン動作とが行なわれる。しかも、押し込み操作と回転操作だけでよいので操作性がよく、そのうえハンドル軸５の定位置Ｐ１では操作釦部８が便器本体１の開口部７の外方に突出しないため見栄えが良くなる。また、回転操作時のみ操作釦部８が突出するので操作性が更に良くなる。さらに一度目の押し込み操作によってモータ電源を切るので、可動式トラップ２の手動操作の途中で万一、停電が回復してもモータ３は駆動不能となっているため安全性が確保される。
【０００８】
また請求項２に係る発明は、停電時にモータ軸３ａから切り離される可動式トラップ２のトラップ軸９にウォームギア１０ｃを取り付け、ハンドル軸５にウォームギア１０ｃと噛合・離脱可能なウォームホイール１０ｄを取り付け、操作釦部８の一度目の押し込みを解除した後に復帰用バネ１５のバネ力によりハンドル軸５が押し込み位置Ｐ２から突出位置Ｐ３に移動する過程で、ハンドル軸５のウォームギア１０ｃがトラップ軸９のウォームホイール１０ｄと噛合してウォームギア１０ｃの移動がウォームホイール１０ｄの回転運動に変換されることで、トラップ軸９が回転して可動式トラップ２の回転動作が行なわれるようにしたことを特徴としている。
【０００９】
このような構成とすることで、操作釦部８を手動により回転させる操作が不要となり、操作釦部８の一度目の押し込み操作と操作釦部８の二度目の押し込み操作とを順に行なうだけでよいので、操作性がより一層向上する。
【発明の効果】
【００１０】
本発明に係るターントラップ方式の水洗便器は、便器本体に設けたハンドル軸によって停電時における汚物排出不能や封水不能などの不都合を解消できると共に、停電が発生しないときにはハンドル軸の操作釦部の納まりが良好となり、停電時にはハンドル軸の操作性がきわめて良好であり、しかもモータ電源を切ることで安全を確保しながら可動式トラップの手動操作が可能となり、操作性と安全性と外観性を共に向上させることができる。
【発明を実施するための最良の形態】
【００１１】
以下、本発明を添付図面に示す実施形態に基いて説明する。
【００１２】
本実施形態の水洗便器のターントラップは、図４（ａ）（ｂ）に示すように、上方開口縁にリム部３３が形成され、下端部に排水口部３４が形成された便器本体１の該排水口部３４に可動式トラップ２が接続され、可動式トラップ２を上下に回転させることで便器本体１内の汚物排出と便器本体１内への溜め水等が行なわれるものである。
【００１３】
図５に示すように、モータ３のモータ軸３ａが電磁クラッチ１６、連結ギア３０，３１を介して可動式トラップ２のトラップ軸９と接続されており、洗浄操作釦を押してモータ３が駆動すると電磁クラッチ１６を介してモータ軸３ａの回転がトラップ軸９に伝わり、図４（ｂ）に示すように、トラップ軸９に連結された駆動アーム３５が可動式トラップ２を下に回転させることで便器本体内の汚物が排出されるものであり、その後、モータ３が停止して電磁クラッチ９が切り状態になるとトラップ軸９はモータ軸３ａから切り離されて空転状態となり、捻りバネ等の復帰手段によって図４（ａ）に示すように、可動式トラップ２は上に回転して便器本体１内に溜め水がされるようになっている。
【００１４】
本発明では、便器本体１内部のモータ電源スイッチ４に臨んだ位置に、停電時にモータ軸３ａから切り離された可動式トラップ２のトラップ軸９を手動で回転させるためのハンドル軸５が収納されている。
【００１５】
ハンドル軸５には、図１に示すように、前端側から後端側に向かって、操作釦部８と、主動ギア１０ａと、カム体１７とがこの順に設けられている。
【００１６】
上記操作釦部８は、便器本体１の外部に開放された開口部７に臨んで配置されており、便器本体１の外部から操作釦部８の押し込み操作及び回転操作がそれぞれ可能となっている。
【００１７】
上記主動ギア１０ａは、可動式トラップ２のトラップ軸９に取り付けられた従動ギア１０ｂと噛合・離脱自在なギア部１０を構成しており、停電が発生していないときは主動ギア１０ａは従動ギア１０ｂから離脱しており、停電が発生して可動式トラップ２を手動で回転させる際に、主動ギア１０ａが従動ギア１０ｂと噛合するものである。
【００１８】
上記カム体１７は、ハンドル軸５の後端部に対して枢着部１８を介して回転自在に接続されており、カム体１７の両側面はガイド手段６を構成する左右一対のガイドレール６ａに沿ってハンドル軸５の軸方向Ａと平行に往復移動自在にガイドされている。これにより、ハンドル軸５及びカム体１７が共にガイドレール６ａに沿って軸方向Ａに移動自在に支持されており、さらにハンドル軸５は枢着部１８を介してカム体１７に接続されており、ハンドル軸５のみが軸廻りに回転自在となっている。
【００１９】
上記カム体１７には、ハンドル軸５を定位置Ｐ１、押し込み位置Ｐ２、突出位置Ｐ３にガイドするハートカム溝１３と、ハンドル軸５の押し込み位置Ｐ２でモータ電源スイッチ４のオン・オフを切り替えるスイッチ押圧部１４とが設けられている。
【００２０】
上記ハートカム溝１３は従来より公知のハート型カムの技術を用いることができる。つまり、ロック手段１１は便器本体１側に揺動自在に取り付けられたロックピン１２とこれが挿合するハートカム溝１３とからなる。ロックピン１２は、一端１２ｂがガイド手段６の底枠部６ｂに揺動自在に支持された揺動片１２ａの他端に取り付けられており、ハンドル軸５の図１の定位置Ｐ１ではハートカム溝１３の第１溝１３ａに入り込み、図２の押し込み位置Ｐ２では第２溝１３ｂに入り込み、図３の突出位置Ｐ３では第３溝１３ｃに入り込むようになっている。
【００２１】
上記カム体１７の背面には、モータ電源スイッチ４を入切するスイッチ押圧部１４が突設されている。さらにカム体１７の背面と上記ガイド手段６の底枠部６ｂとの間には、コイルバネからなる復帰用バネ１５が介在されており、この復帰用バネ１５によってハンドル軸５には押し込み位置Ｐ２から突出位置Ｐ３に向かうバネ力が常に付与されている。
【００２２】
停電が発生したときの動作例を説明する。
【００２３】
ハンドル軸５の定位置Ｐ１では、ロックピン１２がハートカム溝１３の第１溝１３ａに係止しているため、ハンドル軸５の主動ギア１０ａとトラップ軸９の従動ギア１０ｂとが噛み合わない状態にあり、操作釦部８は開口部７から突出せず、便器本体１の表面と略面一に配置されている。
【００２４】
先ず、操作釦部８の一度目の押し込み操作を行なうと、ロックピン１２がハートカム溝１３の第１溝１３ａから第２溝１３ｂに向かって図２の矢印ニ方向に移動することにより、ハンドル軸５のロックが解除された状態となり、図２の矢印イ方向にハンドル軸５を定位置Ｐ１から図２の押し込み位置Ｐ２に押し込むことにより、スイッチ押圧部１４がモータ電源スイッチ４を押してオフ状態に切り替える。このモータ電源スイッチ４は、例えばモータ電源とモータ駆動インバータとの間の給電路をオン・オフするものであり、停電時にモータ電源を切ることで、可動式トラップ２の手動操作の途中で万一、停電が回復してもモータ３は駆動不能となっているため安全が確保される。
【００２５】
その後、操作釦部８の押し込みを解除すると、復帰用バネ１５のバネ力によりハンドル軸５が突出位置Ｐ３に向かってバネ付勢されることで、ロックピン１２がハートカム溝１３の第２溝１３ｂから第３溝１３ｃに向けて図３の矢印ホ方向に移動するようになり、ハンドル軸５が突出位置Ｐ３まで移動するとハンドル軸５の主動ギア１０ａとトラップ軸９の従動ギア１０ｂとが噛合状態となり、尚且つ、操作釦部８が開口部７よりも外方に突出した状態となり、便器本体１の外部から図３の矢印ロ方向に操作釦部８の回転操作を行なうと、ハンドル軸５が軸廻りに回転するが、このとき枢着部１８によりカム体１８は回転せず、ハンドル軸５のみが回転する。また停電によって電磁クラッチ１６への通電が遮断されているために、モータ軸３ａとトラップ軸９との連動が断たれてトラップ軸９は空転状態となっているため、ハンドル軸５を軸廻りに回転させると噛合状態にある主動ギア１０ａと従動ギア１０ｂを介してトラップ軸９が回転するようになり、これにより可動式トラップ２を手動で回転させて汚物排出等を行なうことができる。
【００２６】
可動式トラップ２の回転操作が終了した後に、図３の矢印ハ方向に操作釦部８の二度目の押し込み操作を行なうと、図３の矢印ヘ方向にロックピン１２がハートカム溝１３の第３溝１３ｃから第２溝１３ｂに移動することにより、ハンドル軸５を前記押し込み位置Ｐ２に移動させることができ、このときスイッチ押圧部１４がモータ電源スイッチ４を押してオン状態に切り替える。その後、押し込みを解除すると、復帰用バネ１５によってハンドル軸５が押し戻され、図３の矢印ト方向にロックピン１２がハートカム溝１３の第２溝１３ｂから第１溝１３ａに移動することにより、ハンドル軸５が図１の定位置Ｐ１でロックされた状態となる。これにより、停電が回復したときにはモータ３駆動による可動式トラップ２の回転が可能な通常状態に復帰する。なお、依然として停電が回復しないときでも、操作釦部８の押し込み操作によって再びモータ電源スイッチ４をオフ状態にして上記一連の操作を行なうことで、停電が回復するまでは可動式トラップ２の手動による回転操作を何度でも繰り返し行なうことができる。
【００２７】
しかして、停電時には操作釦部８の一度目の押し込み操作、突出位置Ｐ３に移動した操作釦部８を手動により回転させる操作、操作釦部８の二度目の押し込み操作を順に行なうだけで、モータ電源のオフと、可動式トラップ２の手動回転操作と、モータ電源のオンとが可能となり、停電時において汚物排出不能や封水不能などの不都合を解消でき、ターントラップ方式の水洗便器を停電などの際にも支障なく使用できるという作用効果が得られる。しかも、押し込み操作と回転操作だけでよいので操作性がよく、そのうえハンドル軸５の定位置Ｐ１では操作釦部８が便器本体１の開口部７の外方に突出しないため見栄えが良くなると共に、ハンドル軸５の外観の納まりが良好となり、また、回転操作時のみ操作釦部８が突出するので操作性が更に良くなる利点があり、さらに押し込み操作によってモータ電源を切るので、可動式トラップ２の手動操作の途中で万一、停電が回復してもモータ３は駆動不能となっているため安全が確保される利点もある。
【００２８】
図６〜図８は、本発明の他の実施形態を示している。基本構造は図１〜図３と同様であり、対応する部分には同一符号を付しておき、異なる点だけを説明する。本例では、停電時にモータ軸３ａから切り離される可動式トラップ２のトラップ軸９に対してハンドル軸５を噛合・離脱可能とするギア部１０として、ハンドル軸５に取り付けたウォームギア１０ｃと、可動式トラップ２のトラップ軸９に取り付けたウォームホイール１０ｄとからなる運動方向変換機構を採用し、操作釦部８の一度目の押し込みを解除した後に復帰用バネ１５のバネ力によりハンドル軸５が押し込み位置Ｐ２から突出位置Ｐ３に移動する過程で、ハンドル軸５のウォームギア１０ｃがトラップ軸９のウォームホイール１０ｄと噛合してウォームギア１０ｃの移動がウォームホイール１０ｄの回転運動に変換されることで、トラップ軸９が回転して可動式トラップ２の回転動作が行なわれるようにしたものである。その後、操作釦部８の二度目の押し込み操作を行なうと、図８の矢印ヘ方向にロックピン１２がハートカム溝１３の第３溝１３ｃから第２溝１３ｂに移動することにより、ハンドル軸５を前記押し込み位置Ｐ２に移動させることができ、このときスイッチ押圧部１４がモータ電源スイッチ４を押してオフ状態に切り替える。その後、押し込みを解除すると、復帰用バネ１５によってハンドル軸５が押し戻され、図８の矢印ト方向にロックピン１２がハートカム溝１３の第２溝１３ｂから第１溝１３ａに移動することにより、ハンドル軸５が図６の定位置Ｐ１でロックされた状態となる。しかして、図１〜図３の実施形態と同様、ターントラップ方式の水洗便器を停電などの際にも支障なく使用できるという作用効果が得られるうえに、本例では操作釦部８の一度目の押し込み操作と操作釦部８の二度目の押し込み操作とを順に行なうだけでよく、操作釦部８を手動により回転させる操作が不要となるので、操作性が一層向上する利点がある。
【図面の簡単な説明】
【００２９】
【図１】本発明の一実施形態のハンドル軸が定位置でロックされた状態を説明する側面図である。
【図２】同上のハンドル軸が押し込み位置まで移動した状態を説明する側面図である。
【図３】同上のハンドル軸が突出位置まで移動した状態を説明する側面図である。
【図４】同上のハンドル軸が設けられるターントラップ方式の水洗便器を示し、（ａ）は可動式トラップが上に回転した状態を示し、（ｂ）は可動式トラップが下に回転した状態を示す図である。
【図５】同上のモータ軸とトラップ軸とを電磁クラッチで接続した場合の説明図である。
【図６】本発明の他の実施形態のハンドル軸が定位置でロックされた状態を説明する側面図である。
【図７】図６のハンドル軸が押し込み位置まで移動した状態を説明する側面図である。
【図８】図６のハンドル軸が突出位置まで移動した状態を説明する側面図である。
【符号の説明】
【００３０】
１  便器本体
２  可動式トラップ
３  モータ
４  モータ電源スイッチ
５  ハンドル軸
７  開口部
８  操作釦部
９  トラップ軸
１０  ギア部
１０ｃ  ウォームギア
１０ｄ  ウォームホイール
１１  ロック手段
１４  スイッチ押圧部
１５  復帰用バネ
Ｐ１  定位置
Ｐ２  押し込み位置
Ｐ３  突出位置
【図１】
2008156954.tif 000003
【図２】
2008156954.tif 000004
【図３】
2008156954.tif 000005
【図４】
2008156954.tif 000006
【図５】
2008156954.tif 000007
【図６】
2008156954.tif 000008
【図７】
2008156954.tif 000009
【図８】
2008156954.tif 000010